(57)【特許請求の範囲】
【請求項１】
２つの筐体と、
これら２つの筐体を開閉可能に連結する連結部と、
前記一方の筐体の基端部に、カード型の記録媒体である情報カードを挿入可能とする開口部を備えたスロット部と、
前記開口部を保護するための蓋部材と、
前記２つの筐体の開閉状態に関わらず前記２つの筐体の重ね合わせ方向に露出する一方の筐体の外面のうち、前記連結部近傍に突出して設けられた転倒防止突起と、
を有し、
該転倒防止突起は、前記開口部に隣接する位置に、前記蓋部材と一体的に形成されることを特徴とする携帯電子機器。
【請求項２】
前記転倒防止突起は、前記基端部を上方としたときに、前記一方の筐体の外面側から見たときの形状が、前記基端部側に対して略Ｕ字状に形成されていることを特徴とする請求項１に記載の携帯電子機器。
【請求項３】
前記重ね合わせ方向及び前記一方の筐体の一端部と他端部とを結ぶ長手方向に直交する前記一方の筐体の幅方向端部に、該一方の筐体の前記外面から一体的に突出する無線通信用のアンテナ部が設けられ、
前記外面から突出する前記アンテナ部の先端と、前記転倒防止突起の先端及び前記外面の両方に当接する平坦な設置面との間に微少な間隙が形成されるように、前記転倒防止突起の突出高さを設定したことを特徴とする請求項１又は請求項２に記載の携帯電子機器。
【請求項４】
前記転倒防止突起が、前記一方の筐体とは別個の部材から形成されていることを特徴とする請求項１から請求項３のいずれか１項に記載の携帯電子機器。
【発明の詳細な説明】
【技術分野】
【０００１】
この発明は、２つの筐体を開閉可能に連結した携帯電子機器に関する。
【背景技術】
【０００２】
従来より、携帯電話機、ＰＤＡ（Personal Digital Assistants）等のように、２つの筐体を相互に開閉可能に連結して構成される携帯電子機器では、２つの筐体を相互に開いた状態で一方の筐体を平坦な設置面に配して使用する場合がある。この場合には、携帯電子機器が設置面上でがたつかないように、携帯電子機器を安定した状態で設置面に配することが好ましい。
従来の携帯電子機器には、一方の筐体の一端部からその長手方向に突出可能な転倒防止部を設けることで、携帯電子機器を安定した状態で設置面に配置できるように構成したものがある（例えば、特許文献１参照。）。
【特許文献１】特開２００３−２５８９７０号公報
【発明の開示】
【発明が解決しようとする課題】
【０００３】
しかしながら、上記従来の携帯電子機器を設置面に配する際には、転倒防止部を一方の筐体から突出させた位置に移動させる必要があるため、設置作業が面倒であるという問題がある。
また、２つの筐体を相互に開く動作に応じて転倒防止部が筐体から突出するものもあるが、この構成の場合には、携帯電子機器を設置面に配しないときにも突出してしまうため、携帯電子機器の使用にあたって邪魔になり、結果として、取り扱いが面倒になるという問題がある。
この発明は、上述した事情に鑑みてなされたものであって、取り扱いが簡便で、かつ、２つの筐体を相互に開いた状態でも安定して設置面に配することができる携帯電子機器を提供することを目的としている。
【課題を解決するための手段】
【０００４】
上記課題を解決するために、この発明は以下の手段を提案している。
本発明に係る携帯電子機器は、２つの筐体と、これら２つの筐体を開閉可能に連結する連結部と、前記一方の筐体の基端部に、カード型の記録媒体である情報カードを挿入可能とする開口部を備えたスロット部と、前記開口部を保護するための蓋部材と、前記２つの筐体の開閉状態に関わらず前記２つの筐体の重ね合わせ方向に露出する一方の筐体の外面のうち、前記連結部近傍に突出して設けられた転倒防止突起と、を有し、該転倒防止突起は、前記開口部に隣接する位置に、前記蓋部材と一体的に形成されることを特徴とする。
なお、一方の筐体の外面とは、２つの筐体を相互に閉じて重ね合わせた状態において相互に対向する対向面の反対側に位置する面を示している。
【０００５】
また、前記転倒防止突起は、前記基端部を上方としたときに、前記一方の筐体の外面側から見たときの形状が、前記基端部側に対して略Ｕ字状に形成されていることを特徴とする。
【０００６】
さらに、本発明に係る携帯電子機器は、前記重ね合わせ方向及び前記一方の筐体の一端部と他端部とを結ぶ長手方向に直交する前記一方の筐体の幅方向端部に、該一方の筐体の前記外面から一体的に突出する無線通信用のアンテナ部が設けられ、前記外面から突出する前記アンテナ部の先端と、前記転倒防止突起の先端及び前記外面の両方に当接する平坦な設置面との間に微少な間隙が形成されるように、前記転倒防止突起の突出高さを設定したことを特徴とする。
また、本発明に係る携帯電子機器は、前記転倒防止突起が、前記一方の筐体とは別個の部材から形成されていることを特徴とする。
【発明の効果】
【０００７】
この発明によれば、平坦な設置面に一方の筐体の外面を対向させた状態で携帯電子機器を配することにより、連結部近傍に設けられた転倒防止突起、及び、一方の筐体の外面の一部が設置面に当接する。すなわち、一方の筐体の外面が設置面に対して傾斜することになる。
ここで、転倒防止突起と設置面との当接部分を支点とした場合、転倒防止突起の突出高さに応じて、他方の筐体の重心及び支点を相互に結ぶ作用線と設置面とのなす角度が大きくなるため、他方の筐体の重心に作用する重力（設置面に向けて垂直な方向に作用する力）に基づいて前記支点に作用するモーメントの大きさを小さくすることができる。
【０００８】
すなわち、他方の筐体の重心に作用する重力に基づいて前記支点に作用するモーメントの大きさを、一方の筐体の重心に作用する重力に基づいて前記支点に作用するモーメントよりも小さくすることが可能となる。したがって、２つの筐体を相互に開いた状態でも安定した状態で設置面に配することができる。
また、転倒防止突起は、一方の筐体の外面から突出して一体的に固定することができるため、携帯電子機器の使用にあたって邪魔になることがない。したがって、携帯電子機器を簡便に取り扱うことが可能となる。
【発明を実施するための最良の形態】
【０００９】
図１から図３は本発明に係る一実施形態を示しており、ここで説明する実施の形態は、この発明を携帯電話機に適用した場合のものである。
図１に示すように、この実施の形態に係る携帯電話機（携帯電子機器）１は、第１の筐体（一方の筐体）２と、この第１の筐体２の厚さ方向に重ね合わせ可能な第２の筐体３と、これら２つの筐体２，３を相互に折り畳み自在に連結するヒンジ部（連結部）５とを備えている。なお、ヒンジ部５は、２つの筐体２，３の各端部（一端部）２ａ，３ａ（以下、基端部２ａ，３ａと呼ぶ。）同士を連結するように配されている。
【００１０】
第２の筐体３の内部には、ＬＣＤ（Liquid Crystal Display）等、各種情報を表示する表示部７及び通話用のスピーカ部９が設けられている。表示部７は、２つの筐体２，３を相互に重ね合わせた状態において第１の筐体２に対向する第２の筐体３の対向面３ｃ側に露出している。スピーカ部９は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１１】
第１の筐体２の内部には、通話キー、終話キー等の各種の押圧可能な操作キー１０を備えたキー操作部１１、通話用のマイクロフォン部１３が設けられている。キー操作部１１の各操作キー１０は、２つの筐体２，３を相互に重ね合わせた状態において第２の筐体３に対向する第１の筐体２の対向面２ｃから外方に露出している。マイクロフォン部１３は、基端部２ａとは反対側に位置する第１の筐体２の先端部（他端部）２ｂ側に配されており、第１の筐体２の対向面２ｃから第１の筐体２の内部空間に貫通する開口部２ｄを介して外方に露出している。
【００１２】
また、図２，３に示すように、この第１の筐体２の基端部２ａには、基地局と無線通信を行うためのアンテナ部１５及びカード型の記録媒体である情報カード１７を挿入するためのスロット部１９が設けられている。アンテナ部１５は、前述した基端部２ａのうち、第１の筐体２の幅方向（ＡＢ方向）の端部に設けられており、第１の筐体２の対向面２ｃの反対側に位置する第１の筐体２の外面２ｅから突出している。なお、第１の筐体２の外面２ｅは、２つの筐体２，３の開閉状態に関わらず２つの筐体２，３の重ね合わせ方向（ＣＤ方向）に露出する面を示している。
スロット部１９は、第１の筐体２の基端部２ａ側に開口しており、この内部には情報カード１７と電気的に接続するためのコネクタ（不図示）が配されている。したがって、スロット部１９内に情報カード１７を挿入した状態においては、キー操作部１１の操作等に基づいて情報カード１７から各種情報を読み出したり、情報カード１７に各種情報を書き込んだりすることができるようになっている。
【００１３】
さらに、第１の筐体２の基端部２ａ近傍には、第１の筐体２の外面２ｅからＤ方向に突出する転倒防止突起２１が設けられている。
転倒防止突起２１の突出高さは、転倒防止突起２１の先端及び第１の筐体２の外面２ｅの両方に当接する平坦な設置面２５と、同外面２ｅから突出するアンテナ部１５の先端との間に微少な間隙、具体的には、０ｍｍよりも大きく１ｍｍ以下の間隙が形成されるように設定されている。
【００１４】
この転倒防止突起２１は、スロット部１９の開口部１９ａに隣接する位置に配されており、より具体的には、第１の筐体２の幅方向に関して略中央部分に設けられている。また、転倒防止突起２１は、開口部１９ａを囲むように略Ｕ字状に形成されており、転倒防止突起２１に囲まれる領域は、転倒防止突起２１に対して窪むように形成されている。
この転倒防止突起２１は、第１の筐体２とは別個の部材により形成されており、第１の筐体２に対して一体的に固定されている。さらに、転倒防止突起２１は、これを構成する樹脂等の部材にシボ加工を施して構成されており、塗装は施されていない。なお、転倒防止突起２１を固定する第１の筐体２の外面２ｅには、転倒防止突起２１を構成する部材の色とは異なる色の塗装が施されている。
【００１５】
以上のように構成された携帯電話機１において、２つの筐体を相互に開いた状態で平坦な設置面２５に配する場合には、第１の筐体２の外面２ｅを設置面２５に対向させる。この状態においては、転倒防止突起２１の先端及び第１の筐体２の先端部２ｂ近傍の両方が設置面２５に当接する。また、外面２ｅから突出するアンテナ部１５の先端と設置面２５との間には微少な間隙が形成される。
ここで、転倒防止突起２１と設置面２５との当接部分を支点Ｐ１とした場合、外面２ｅからの転倒防止突起２１の突出高さに応じて、第２の筐体３の重心及び支点Ｐ１を相互に結ぶ作用線と設置面２５とのなす角度が、設置面２５に第１の筐体２の外面２ｅ全体を当接させる場合と比較して大きくなる。このため、第２の筐体３の重心に作用する重力（設置面２５に向けて垂直な方向に作用する力）に基づいて支点Ｐ１に作用するモーメントＭ１の大きさを小さくすることができる。
【００１６】
上記のように、この携帯電話機１によれば、第１の筐体２の基端部２ａ近傍に転倒防止突起２１を設けることにより、重力によって支点Ｐ１に作用する第２の筐体３の重心に基づくモーメントＭ１の大きさを、第１の筐体２の重心に基づくモーメントＭ２よりも小さくすることが可能となる。このため、２つの筐体２，３を相互に開いた状態で設置面２５に配しても、第２の筐体３が設置面２５に向けて倒れることが無く、安定した状態で設置面２５に配することができる。したがって、この設置状態における表示部７の視認性やキー操作部１１の操作性を向上させることもできる。
また、転倒防止突起２１は、第１の筐体２の外面２ｅから突出して一体的に固定されているため、携帯電話機１の使用にあたって邪魔になることもない。したがって、携帯電話機１を簡便に取り扱うことが可能となる。
【００１７】
さらに、転倒防止突起２１は、スロット部１９の開口部１９ａに隣接して配されると共に、開口部１９ａを囲むように略Ｕ字状に形成されているため、スロット部１９の位置を明確に示すことができる。
また、上記のように携帯電話機１を設置面２５に配した状態においては、アンテナ部１５の先端と設置面２５との間に微少な間隙が形成されるため、アンテナ部１５が突出して形成されていても携帯電話機１を安定した状態で設置面２５に配することができる。また、アンテナ部１５が塗装を施した第１の筐体２と一体的に形成されていても、設置面２５に接触することがないため、アンテナ部１５の先端の塗装が剥がれることも防止できる。
さらに、転倒防止突起２１の突出高さを最小限に抑えることができるため、良好な外観意匠を有すると共に取り扱い易い携帯電話機１を提供することができる。
【００１８】
また、第１の筐体２と転倒防止突起２１とを別個の部材により構成することで、それぞれ別の装飾加工（塗装加工及びシボ加工）を容易に施すことができる。
さらに、転倒防止突起２１は、塗装を施した第１の筐体２とは別個の部材により構成されると共に、転倒防止突起２１を構成する部材にはシボ加工を施して塗装を施していないため、転倒防止突起２１が設置面２５に当接しても塗装が剥がれることを心配する必要がない。したがって、第１の筐体２の外面２ｅに塗装を施しても、設置面２５と転倒防止突起２１及び第１の筐体２の外面２ｅとの当接に基づいて第１の筐体２の塗装が剥がれることを最小限に抑えることができるため、この塗装剥がれに基づく携帯電話機１の外観意匠の劣化を防ぐことが可能となる。
【００１９】
なお、上記の実施形態において、転倒防止突起２１は、第１の筐体２の基端部２ａ近傍に設けられるとしたが、これに限ることはなく、少なくとも第１の筐体２の重心位置よりも基端部２ａ側に設けられていればよい。
また、転倒防止突起２１は、第１の筐体２に一体的に固定されるとしたが、これに限ることはなく、例えば、第１の筐体２に対して取り外し可能に取り付けられるとしてもよい。この構成の場合には、様々なデザインや色を有する転倒防止突起２１に適宜交換することで、携帯電話機１の外観意匠を容易に変更できるため、携帯電話機１のデザイン性の向上を図ることができる。さらに、転倒防止突起２１は、例えば、第１の筐体２に設けられて外方に露出するスロット部１９の開口部１９ａやイヤホン用の端子等を保護するための蓋部材に一体的に形成されるとしても構わない。
【００２０】
さらに、転倒防止突起２１を構成する樹脂等の部材にはシボ加工を施し塗装を施さないとしたが、これに限ることはなく、少なくとも第１の筐体２と転倒防止突起２１とが別個の部材により構成されていればよい。すなわち、例えば、転倒防止突起２１を構成する部材に塗装を施すとしても構わない。この構成の場合では、第１の筐体２と転倒防止突起２１とを相互に異なる色の塗装を容易に施すことができるため、携帯電話機１のデザイン性の向上を図ることができる。
また、上記実施形態の構成は、携帯電話機１に限ることはなく、少なくとも２つの筐体を開閉可能に連結した携帯電子機器に適用することができる。
【００２１】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２２】
【図１】この発明の一実施形態に係る携帯電話機の第１、第２の筐体を相互に開いた状態を示す概略斜視図である。
【図２】図１の携帯電話機において、第１、第２の筐体を相互に閉じた状態を第１の筐体の外面側から見た様子を示す概略平面図である。
【図３】図１の携帯電話機において、第１、第２の筐体を相互に開いた状態を示す概略側面図である。
【符号の説明】
【００２３】
１  携帯電話機（電子機器）
２  第１の筐体（一方の筐体）
２ａ，３ａ  基端部（一端部）
２ｂ  先端部（他端部）
２ｅ  外面
５  ヒンジ部（連結部）
１５  アンテナ部
１７  情報カード
１９  スロット部
１９ａ  開口部
２１  転倒防止突起
２５  設置面
３  第２の筐体
【図１】
0004584094.tif 000002
【図２】
0004584094.tif 000003
【図３】
0004584094.tif 000004